(57)【特許請求の範囲】
【請求項１】
投入口に投入されたメダルの大きさを選別し、適正な大きさのメダルを受付ガイドして内部に取込み、不適な大きさのメダル類を排出ガイドして外部の返却口に返却する遊技機の投入メダル選別装置であって、
前記投入口に投入されたメダルをメダル厚み方向に傾斜させて転動通過させるメダル選別用の傾斜したメダル通路を設け、
前記傾斜したメダル通路を形成する傾斜下側の一方の側壁にはメダル類を排出するための排出口を開口し、
他方の側壁には前記排出口と対向する位置に導かれてきたメダルを前記排出口に向けて排出させる排出手段を設け、
前記メダル通路の他方の側壁背面側に垂直壁を有し、
垂直壁から前記メダル通路を隔てた立姿のメダル頂部より高い位置に水平壁を延出させてなる逆Ｌ型基板を取付け、
前記逆Ｌ型基板の垂直壁側に、斜め上方の前記水平壁に向けて傾斜投光する投光用の光電検知素子を配設し、
前記投光用の光電検知素子の投光軸と対向する水平壁側には前記投光軸を受けて水平方向に反射させる反射面を有し、
前記反射面に反射する水平方向の受光軸と対向する水平壁側の受光軸対向位置には受光用の光電検知素子を配設した
遊技機の投入メダル選別装置。
【発明の詳細な説明】
【０００１】
【発明の属する技術分野】
この発明は、例えばスロットマシン等の遊技機に内部構成されるような投入メダル選別装置に関し、さらに詳しくはメダルの安定した検知性能と排出性能を確保することができる遊技機の投入メダル選別装置に関する。
【０００２】
【従来の技術】
一般に、スロットマシンなどの遊技機は、内部に投入されたメダルの適否を選別するメダル選別装置を内蔵しており、このメダル選別装置(特開平８ー２４４３４号公報参照)の選別位置には投入メダルの有無を検知する検知装置が組込まれている。この検知装置は、例えば、図１４(Ａ)に示すように、メダルＭを１枚ずつ転動通過させるメダル通路１４１を阻害しないように、コ型フレーム１４２に投受光素子を取付けた透過型の光電検知センサ１４３をメダル通路１４１の上部に取付けて該通路１４１の上部を光電検知することができる。
【０００３】
この場合、コ型フレーム１４２の内向きに対向する内部空間(検知スリット部)１４４を検知領域に設定して、この検知スリット部１４４をメダルＭが転動して通過したとき、メダル厚さ方向の光軸１４５を遮断して光電検知センサ１４３がＯＮする検知方式である。
【０００４】
また、メダル選別装置は基本機能として、不適なメダルを検知したときに、そのメダルを直ちに排出するメダル排出機能を有しており、通常は通路の切換え操作、あるいはメダル自身の自重による振分け操作や強制排出操作などにより、メダル通路の一方の側壁に開口した排出口１４６から排除している。
【０００５】
図中、１４７は強制排除用のストッパを示し、このストッパ１４７をメダル通路１４１の側方から出没自由に設けて、メダルの排除時に突出させて通路を遮断し、メダル排除の補助を行っている。１４８は正規の通路形成位置と排除位置とに可動する可動ガイド片、１４９ａ，１４９ｂはメダル通路の両側壁を示す。
【０００６】
【発明が解決しようとする課題】
このメダル通路１４１に、上述の光電検知センサ１４３を配設した場合は、図１４(Ｂ)に示すように、コ型フレーム１４２がメダル通路１４１の上部を跨いで、メダル通路１４１の排出側の上部をコ型フレーム１４２の一部が占めるため、メダル排除時に可動片１４８を可動し、ストッパ１４７を突出させてメダルＭを排出動作すると、メダルＭは正規の転動方向から、その側方(横倒し方向)へと変わったときに、メダル通路１４１の下側の凹溝部と、上側のコ型フレーム１４２の下向きの凹部との間でメダルＭが傾倒した状態で引っ掛ってメダル詰りが生じることがある。また、コ型フレーム１４２の検知部分でメダル詰りが生じたときはリジェクト機構等による解除操作ではメダル詰りを解消できなかった。
【０００７】
このため、反射型の光電検知センサを用いれば、メダル通路の片側より検知できる反射型のため、該センサをメダル通路の片側のみに設置することができ、メダル排除時に支障にならず、メダル詰りは回避できる。
【０００８】
しかしながら、この反射型の光電検知センサでは、メダル有りを検知した時に、投光後に折返して導かれる反射光が受光側の光電検知素子に入ってメダルの存在を検出する関係で、光の影響を受けやすいなど外乱光に弱く、検知性能および信頼性が低いという問題がある。また、メダル通路を通過するメダルがバタツクことにより反射型検知時の検知信号が安定しないという問題を有していた。
【０００９】
そこでこの発明は、透過型の光電検知センサを用いても、メダル詰りの発生の恐れがなく、しかも外乱光による悪影響を受けない高検知性能を有する遊技機の投入メダル選別装置を提供することを目的とする。
【００１０】
【課題を解決するための手段】
この発明は、投入口に投入されたメダルの大きさを選別し、適正な大きさのメダルを受付ガイドして内部に取込み、不適な大きさのメダル類を排出ガイドして外部の返却口に返却する遊技機の投入メダル選別装置であって、前記投入口に投入されたメダルをメダル厚み方向に傾斜させて転動通過させるメダル選別用の傾斜したメダル通路を設け、前記傾斜したメダル通路を形成する傾斜下側の一方の側壁にはメダル類を排出するための排出口を開口し、他方の側壁には前記排出口と対向する位置に導かれてきたメダルを前記排出口に向けて排出させる排出手段を設け、前記メダル通路の他方の側壁背面側に垂直壁を有し、垂直壁から前記メダル通路を隔てた立姿のメダル頂部より高い位置に水平壁を延出させてなる逆Ｌ型基板を取付け、前記逆Ｌ型基板の垂直壁側に、斜め上方の前記水平壁に向けて傾斜投光する投光用の光電検知素子を配設し、前記投光用の光電検知素子の投光軸と対向する水平壁側には前記投光軸を受けて水平方向に反射させる反射面を有し、前記反射面に反射する水平方向の受光軸と対向する水平壁側の受光軸対向位置には受光用の光電検知素子を配設した遊技機の投入メダル選別装置であることを特徴とする。
【００１１】
ここでメダルとは、一定の大きさの円板形状を有するメダルであり、例えば遊技利用専用に設けられた遊技メダルのほか流通硬貨(コイン)も含む。
【００１２】
また、メダル類とは、正規の大きさのメダルより小径のメダル(コイン)および偽造メダルなどの受付拒否された適用外のメダル、あるいはプレーヤがメダルを返却操作したときに排出される排出対象メダルなどを意味する。
【００１３】
前記メダル通路とは、メダルを立姿で転動可能な細長い溝状の通路空間を壁面で囲って構成することができる。
【００１４】
前記排出口とは、メダルを排出できる大きさの開口部をメダル通路の片側の側壁を開口して構成することができる。
【００１５】
前記排出手段とは、メダル通路上のメダルを排出口に排出するものであり、例えば傾斜させたメダル通路の傾斜下部側を開放操作する可動ガイド片を用いた排出動作、メダル通路の側方より出没させるスライド式のストッパを用いた排出動作の一方または双方を用いて構成することができる。
【００１６】
光電検知素子とは、例えばフォトマイクロセンサで構成することができる。
【００１７】
このような構成よれば、投入後に転動して導かれてきたメダルに対し、その立姿のメダル頂部より高い位置から検知するため、メダル通路の側方に開口される排出口にはコ型フレームなどの検知部材が介在せず、排出方向に対する排出障害要素が完全に解消される。このため、検知部材によるメダル詰りを完全に解消することができる。
【００１８】
また、排出障害要素を解消できる傾斜方向の光軸を設定することにより、外乱光の悪影響を受けやすい反射型の光電検知センサではなく、外乱光の悪影響を受け難い透過型の光電検知センサを採用することができる。
【００１９】
さらに、メダル通路部でのメダルの不安定なバタツキが生じた場合にも反射型の検知方式でないため常に安定した検知信号が得られ、信頼性の高い検知性能を確保できる。
【００２０】
この遊技機のメダル選別装置により、メダル詰りを回避した排出性能と高検知性能を有して信頼性の高い選別性能が高い選別処理を実行することができる。
【００２１】
この構成は、投光素子と受光素子とを、単体の逆Ｌ型基板にまとめて取付けた透過型の光電検知センサであるため、この透過型の光電検知センサをＬ型の一体物として扱うことができる。
【００２２】
したがって、取扱い性や取付け性も容易であり、この逆Ｌ型基板をメダル通路の一側壁の背面側から上面にかけて逆Ｌ型に簡単に配設することができ、しかも壁面に沿ってコンパクトに配置構成できる。
【００２３】
【発明の実施の形態】
この発明の一実施の形態を以下図面に基づいて説明する。
【００２４】
図面は遊技ホールに設置されるスロットマシンの投入メダル選別装置を示し、図１において、このスロットマシン１１は前面の遊技操作面の一側にメダルＭを１枚ずつ受入れる投入口１２を開口し、この投入口１２に投入された正規の大きさのメダルを内部に取込み、不適な大きさのメダル類を外部の返却口１３に返却する選別機能を内蔵している。
【００２５】
また、投入口１２の横には返却ボタン１４を隣設しており、この返却ボタン１４をプレーヤが遊技中止するために押下操作した場合もメダルＭを返却口１３に返却する。
【００２６】
図２はスロットマシン１１の前面扉１５を片開き式に開口した扉の内面状態を示し、この開口されたスロットマシン本体１１ａ側には上部にリール１６を有し、下部にメダル取込み用のホッパ１７と、図示しないメダル返却通路と、電源装置１８とを有している。
【００２７】
一方、前面扉１５側には内面に、上部よりリールカバー１９と、投入メダル選別装置（メダルセレクタ）２０と、返却口１３とをこの順に配設している。
【００２８】
図３および図４は投入メダル選別装置２０を示し、この投入メダル選別装置２０はコ形基板２１と開閉板２２とを一体に組合せて投入メダル選別用のメダル通路２３を形成し、その外側をコ形カバー２４で覆って一体構成している。
【００２９】
上述のメダル通路２３は、上方の投入口１２と接続対応する入口２５と下方の出口２６との間を垂直路２３ａと、これより緩やかに傾斜する傾斜路２３ｂとを接続して形成している。
【００３０】
このうち、垂直路２３ａのコ形基板２１側には、背面側から通路側に向けて水平に突出するメダル安定降下用の可動突片２７を突設し、この可動突片２７を図５に示すように、後方よりバネ２８で軽く付勢して突出状態に保持している。
【００３１】
この可動突片２７は、上方の枢支部２９を回動支点に軸支され、通常は可動突片２７の先端部が、バネ２８の付勢力を受けてコ形基板２１の小窓３０から垂直路２３ａ側に向けて突出した状態にあり、投入されたメダルＭが上方から勢いよく下向に通過する時には、該メダルＭに押されて通路退避方向に略水平に後退し、投入されたメダルＭをそのまま通過許容させる。
【００３２】
この場合、通路はメダルの通過性を高めるために広幅通路にすることが好ましいが、その反面、メダルの詰りが発生しやすくなる傾向にある。このような場合も、上述の可動突片２７の突出作用により、ここに導かれて降下するメダルＭを垂直路２３ａのメダル厚み方向の一方に寄せて通過させることができるため、詰りを解消した安定した通路を形成できる。ことに、弯曲通路に適用した場合に適している。
【００３３】
また、可動突片２７は勢いよく降下するメダルＭに接して減速させることができるため、高速降下する垂直路２３ａから低速転動させる傾斜路２３ｂへと方向変換されて搬送されるメダルＭの速度差を小さくすることができ、それゆえメダルの安定した取込み動作ができる。
【００３４】
さらに、この可動突片２７には糸吊りメダル防止機能も併せて持たせている。この糸吊りメダル防止機能は、可動突片２７を軸支する上方の枢支部２９の位置を基準にして下方の位置で突出させている。このため、糸吊りメダルを使って上方に引き戻そうとしても、この可動突片２７は上方の枢支部２９で位置規制された状態に軸支されているため横方向には動くが上下方向には移動せず、糸吊りメダルを用いた上方への引き戻し操作を確実に防止できる。
【００３５】
次に、傾斜路２３ｂのコ形基板２１側には、傾斜路２３ｂと平行する上側に該通路の上側の一部を形成する可動ガイド板３１を配設しており、ここを転動通過するメダルＭの頂部を逆Ｌ形状の可動ガイド板３１で搬送ガイドする。また、傾斜路２３ｂの出口２６部分の直前には一対の通過検知センサＳ１
，Ｓ２ を配設しており、これらセンサＳ１ ，Ｓ２ で通過したメダルＭ…の数を計数する。
【００３６】
さらに、コ形基板２１のメダル通路２３の内面には、垂直路２３ａから傾斜路２３ｂにかけて平行する複数条のリブ３２…を等間隔に突出形成している。これらのリブ３２…を設けることにより、メダル通路２３には凹凸面を有して投入されたメダルＭはメダル通路２３のスペース内でメダルの外表面がリブ３２…の頂部に線接触して取込まれるためメダルとの接触面積が少なくなり、投入されたメダルの通過抵抗を軽減して高速で円滑な搬送を促進する。また、リブの形状はメダルの通過抵抗が小さくなる形状に設定する。
【００３７】
上述のメダル通路２３の片側には、後述する開閉板２２がコ形基板２１に対設して該通路２３の片側を形成するガイド構造を有している。
【００３８】
上述の開閉板２２は、コ形基板２１の軸受３３に軸支される軸３４を設け、この軸３４を中心として回動自在にコ形基板２１の軸受３３に装着され、通常はバネ３５によってコ形基板２１に開閉板２２の一部が当接するように付勢されて一体化され、双方の間でメダル通路２３が形成される。
【００３９】
さらに、開閉板２２には、図３に示すように、メダル通路２３の傾斜路２３ｂに沿って開口する楕円状の排出口３６を中央部に大きく開口している。この開閉板２２をコ形基板２１のコ形内面に装着してメダル通路２３を形成し、ここに適用外（小径）のメダルＭ１が導かれたとき、この排出口３６より排出するものである。
【００４０】
この開閉板２２の内面側には、図６に示すように、コ形基板２１の垂直路２３ａとの対向面に、コ形基板２１側のリブ３２…と同方向の同様な複数条のリブ３７…を形成している。
【００４１】
したがって、メダル通路２３内では、両面のリブ３２，３７…の線接触作用をメダルＭが受けることにより、投入されたメダルの通過抵抗を一層軽減して円滑な搬送を促進する。
【００４２】
次に、メダル通路２３の傾斜について説明する。このメダル通路２３は、図７に示すように、メダルＭを起立状態で取込む１枚分の通路スペースを有し、かつ起立状態にあるメダルの厚み方向に対して１５°程度傾斜させて設けている。
【００４３】
この傾斜角度は開閉板２２が傾斜下側になるように設定し、メダル通路２３内では転動搬送されるメダルＭが傾斜下側の開閉板２２側に傾かせた状態で搬送させる。これにより、小径の不適なメダルが投入されたときは、転動通過時にメダル通路２３内で小径ゆえに底面側だけがガイドされて、頂部側は可動ガイド板３１に接触せず、頂部側がガイドされないまま転動する。このため、メダルは自重でメダル厚み方向の傾斜下側に傾き始め、その傾斜下側に対向する開閉板２２の排出口３６へと横倒れして排出される。
【００４４】
上述の適用外のメダルの排出に際しては、メダル通路２３をメダル厚み方向に傾斜させるだけでなく、図８に示すように、排出口３６と対向する傾斜上側のコ形基板２１の傾斜路２３ｂのリブ３２の終端側を、メダル通過方向に沿って次第に突出量を増して突設するメダル傾倒促進用の傾斜突起３８を形成している。
【００４５】
このため、図９（Ａ）に示すように、小径の不適な適用外メダルＭ１が傾斜突起３８の位置に至った時は、この傾斜突起３８が転動通過するメダルの側方より突出しているため、ここを通過する起立状態の適用外メダルＭ１を大きく傾かせて、傾斜突起３８との対応時点で、図９（Ｂ）に示すように、適用外メダルＭ１を傾斜路２３ｂから確実に横倒れさせて傾斜下側の排出口３６へと排出させることができる。
【００４６】
このように、転動搬送過程のメダルを、メダル自身の自重によりメダル厚み方向に傾斜させて自然に横倒しさせる役目を持つメダル通路２３と、その厚み方向に押し出す役目を持つ傾斜突起３８とを組合せることにより、排除すべき小径の適用外メダルＭ１を的確に傾倒させて排出動作させるメダル排除機能が得られる。
【００４７】
さらに、通路の傾斜角度だけでは排出作用を十分に確保できない場合、例えばメダルの転動速度が速まってメダルの慣性力が大きくなるような高速取込み化を図っても、排除すべきメダルを取込み過程で確実に排除することができる。
【００４８】
ことに、小さく突出する傾斜突起３８と傾斜したメダル通路２３とが相俟って的確に排除機能の役割を果たすため簡素化したシンプルな構成で性能のよいメダルの選別効果が得られる。
【００４９】
また、上述の傾斜突起３８を、メダル通過方向に沿って次第に突出量を増して突設形成しているため、転動搬送中にメダル側方の平面部分が傾斜突起３８と接触対応したときに、メダルは傾斜突起３８に側方から押される如く対応し、さらに傾斜突起３８の傾斜面の傾きが次第に増して傾倒促進されるためメダルの傾倒性能を高めることができる。
【００５０】
また、傾倒突起３８の位置は通路高さ方向の上部側に設定する。これにより、起立状態のメダルの横倒しに適した上部側が側方より押される形で効率よく傾倒させることができる。
【００５１】
一方、正規の大きさのメダルＭが投入されたときは、このメダルＭの起立した上下部分がガイドされつつ通路に沿って転動し、出口２６に通じる正規の取込み方向へと取込まれる。
【００５２】
上述のメダル厚み方向の傾斜割合は、通路上で転動するメダルの横倒し作用がメダル自身の自重で自然に行われる傾斜角度が適しており、また傾斜突起３８との組合せを考慮した傾斜角度に設定する。このとき、傾斜角度が小さ過ぎると横倒し作用が遅れ気味になり、また大き過ぎると適正なメダルに対する転動負荷が増してしまうので１０°〜２０°程度、好ましくは１５°位が適している。
【００５３】
また、プレーヤの操作によっても、投入されたメダルを返却あるいは詰った異物の排出ができるように構成している。この返却操作は、図７に示すように、プレーヤが返却ボタン１４を押すと、その押下げられた返却ボタン１４の下側に対応する回動自由に軸支された回動カム３９を回動させ、この回動カム３９の先端が開閉板２２を押し上げるように動き、これに連動して開閉板２２は軸３４を中心に回動してコ形基板２１との対向面間を大きく開くので、詰ったメダルや異物を排除方向に排除することができる。
【００５４】
さらに、遊技ホールの準備が未完了の場合やスロットマシンが稼動状態にない場合は、投入されたメダルが正規のメダルであっても受付拒否して返却口１３に返却する受付規制機構４０を内蔵している。
【００５５】
この受付規制機構４０は、図１０に示すように、既述した可動ガイド板３１を回動自由に軸支する軸支部４１をコ形基板２１の背面側の壁面後方に設け、この軸支部４１を共通の回動支点として逆Ｌ形状の可動ガイド板３１を取付け、この可動ガイド板３１の先端を、コ形基板２１の背面側からメダル通路２３を跨いだ開閉板２２側の排出口３６に臨ませた状態で、メダル頂部ガイド用に介在させている。
【００５６】
そして、コ形基板２１の背面側に配設したソレノイド４２をＯＮ・ＯＦＦ操作することにより、これに傾動レバー４３を介して連結された可動ガイド板３１を上下方向に可動して、上動位置のメダル受付規制状態と下動位置のメダル受入れ許容状態に切換えられる。
【００５７】
上述のソレノイド４２をＯＮしたときは、励磁作用が働いて可動ガイド板３１の先端部が、図１０に想像線で示すように、メダル通路２３に沿ってメダル頂部Ｍｔを受入れガイドする下動位置に移動し、メダル受入れ状態になる。この受入れ状態のメダル通路２３は、下部が開閉板２２と、コ形基板２１との対向面間および、その間に位置する耐磨耗性に優れた金属材で形成された底板４４とでメダル転動通過用の下部凹溝を形成し、上部が可動ガイド板３１とコ形基板２１との対向面間でメダル転動通過用の下向きに開口する上部凹溝を形成している。
【００５８】
一方、ソレノイド４２をＯＦＦしたときは、傾動レバー４３に取付けられた復帰バネ４５の復帰作用が働いて、可動ガイド板３１が傾動レバー４３を介して上部凹溝は開方向に引かれ、軸支部４１を支点に回動し、このときメダル通路２３を形成していた上部凹溝の一側(排出側)が開いてメダル通路２３が排除用に開放されるメダル受入れ規制状態になり、ここに至ったメダルは１枚ずつ横倒し動作されて排除される。
【００５９】
また、メダルの通過を検知する既述した２つの通過検知センサＳ１
，Ｓ２ は同検知構造を有して通路方向に沿って連設し、両センサＳ１ ，Ｓ２からの検知時間差によってメダルＭの通過を検知確認する。この場合、両センサＳ１ ，Ｓ２は同検知構造を有するため、以下、一方の通過検知センサＳ１について説明する。
【００６０】
図１１は透過型の通過検知センサＳ１を示し、この通過検知センサＳ１はメダルＭを転動通過させる傾斜路２３ｂの上面位置に配設される逆Ｌ形基板４６と、この逆Ｌ形基板４６に組込まれるフォトマイクロセンサを用いた投光素子４７と受光素子４８とを備えて構成される。
【００６１】
上述の逆Ｌ形基板４６は、垂直壁４９側に、斜め上方の水平壁５０に向けて傾斜投光する投光軸５１の方向を設定した投光素子４７を傾斜配設し、この投光軸５１と対向する水平壁５０側には、投光を受けて垂直壁４９側の水平方向に反射させる反射面５２を切欠き形成して設け、この反射面５２に反射する水平方向の受光軸５３と対向する水平壁５０側の位置に受光素子４８を配設している。図中、５４は投光軸通路、５５は受光軸通路を示す。
【００６２】
上述の逆Ｌ型基板４６の配設に際しては、図１２(Ａ)に示すように、コ形基板２１のメダル通路２３の背面側に沿って垂直壁４９を対向させ、この垂直壁４９からメダル通路２３の上部側に水平壁５０を延出させた逆Ｌ型の状態に配設する。また、このとき、水平壁５０はメダル通路２３を隔てたメダル頂部Ｍｔより高い位置に設定している。
【００６３】
ところで、この透過型の通過検知センサＳ１，Ｓ２は、投光素子４７と受光素子４８とをまとめてコ形基板２１または開閉板２２の片側に配設することができるため、メダル通路２３の片壁面側から投受光してコンパクトな配置構成にできる。
【００６４】
このため、通路の片面からメダルを排出するメダル排出機構の制約やメダル詰り発生の恐れを受けずに、透過型のセンサを配設することができる。
【００６５】
図中、Ｌ１ はメダル厚み方向の傾斜開始位置を示す上傾斜ライン、Ｌ２
はメダル厚み方向の傾斜終了位置を示す下傾斜ライン、Ｐはコ形基板２１の取付けピン、５６はカバー取付け係合凸部、５７はカバー取付け係合凹部、５８は遊技用のスタートレバーに連動して操作される１枚区切り動作用のストッパ片を示す。
【００６６】
このように構成された投入メダル選別装置２０の選別処理動作に基づくメダル検知動作を次に説明する。
今、スロットマシン１１がメダルＭを受付可能な稼動状態のときに、プレーヤが投入口１２にメダルを投入すると、投入されたメダルは自重により内方のメダル通路２３へと導かれ、垂直路２３ａから低速転動用の傾斜路２３ｂへと起立状態のまま転動されながら取込まれる。
【００６７】
このとき、図１２(Ａ)に示すように、正規の大きさのメダルＭが投入されたときは、そのまま受入れ許容して１枚ずつ内方に取込まれる。この場合、取込んだメダルＭの枚数を２つの通過検知センサＳ１
，Ｓ２ で確認しながら計数し、計数された値は図示しない制御部へと伝送されてデータ管理される。また、通路方向に沿って連設された２つの通過検知センサＳ１ ，Ｓ２ は、メダル通路２３の出口２６付近の傾斜路２３ｂに沿って順に検知するため、各センサＳ１
，Ｓ２ のＯＮ・ＯＦＦの順序や時間変化によって異常動作を的確に検出できる。このため、糸吊りメダル等を使用した不正行為も正確に検知できる。
【００６８】
これに対し、小径の流通硬貨などの適用外メダルＭ１が故意または誤って投入されたときは、図１０に示すように、転動通過時に起立した適用外メダルＭ１の上側が小径ゆえに可動ガイド板３１に適用外メダルＭ１の上側がガイドされず、しかもこのメダル通路２３自体が搬送方向に傾斜しているため、小径の排除すべき適用外メダルＭ１は傾斜路２３ｂから確実に横倒れして傾斜下側の排出口３６へと自然に落下して排出される。
【００６９】
さらに、プレーヤが遊技中止のために返却ボタン１４を押下操作したとき、あるいはメダル投入時の１枚区切り動作したときに発生した余剰メダルなどの受付拒否メダルが発生したとき、排出口３６より排出させて返却口１３に返却している。
【００７０】
この場合、図１２(Ｂ)および図１３に示すように、メダルＭを排出口３６へと排出動作したとき、メダル通路２３の側方に開口される排出口３６にはコ型フレームなどの検知部材が介在せず、排出方向には排出に適した十分な空間を確保できるため、排出障害が完全に解消される。このため、検知部材が原因になるメダル詰りが完全に解消される。
【００７１】
また、反射型の光電検知センサではなく、透過型の光電検知センサを採用できるため、外乱光の悪影響を受けなくなり、高検知性能、高信頼性に関連する高セキュリティを有する検知機能が得られる。
【００７２】
しかも、両通過検知センサＳ１ ，Ｓ２は、投光素子４７と受光素子４８とを、単体の逆Ｌ型基板４６にまとめて取付けた透過型の光電検知センサであるため、この透過型の光電検知センサをＬ型の一体物として扱うことができる。したがって、取扱い性や取付け性も容易であり、この逆Ｌ型基板４６をメダル通路２３の背面側から上面にかけて逆Ｌ型に簡単に配設することができる。
【００７３】
上述のように、投入後に転動して導かれてきたメダルに対し、その立姿のメダル頂部より高い位置から検知するため、メダル通路の側方に開口される排出口にはコ型フレームなどの検知部材が介在せず、排出方向に対する排出障害要素が完全に解消される。このため、検知部材によるメダル詰りを完全に解消することができる。
【００７４】
この発明の構成と、上述の一実施の形態の構成との対応において、
この発明の遊技機は、実施の形態のスロットマシン１１に対応し、
以下同様に、
側壁の一方は、開閉板２２に対応し、
側壁の他方は、コ形基板２１に対応し、
排出手段は、可動ガイド片３１およびストッパ片５８に対応するも、この発明は請求項に示される技術思想に基づいて応用することができ、上述の一実施の形態の構成のみに限定されるものではない。
【００７５】
【発明の効果】
この発明によれば、メダル通路の側方にメダルの排出に適した排出空間を確保できるため、メダル詰り要素を完全に解消してメダル詰りを防止でき、信頼性の高い安定したメダルの排出性能が得られる。
【図面の簡単な説明】
【図１】  スロットマシンを示す外観斜視図。
【図２】  投入メダル選別装置の前面扉を開けた内面状態を示す正面図。
【図３】  投入メダル選別装置を示す要部斜視図。
【図４】  投入メダル選別装置を示す展開斜視図。
【図５】  コ形基板の駆動側を示す背面図。
【図６】  開閉板のリブ形成状態を示す側面図。
【図７】  メダル通路を示す縦断面図。
【図８】  コ形基板のリブと傾斜突起の形成状態を示す横断面図。
【図９】  コ形基板のリブと傾斜突起側でのメダル排除状態を示す説明図。
【図１０】  可動ガイド板の開閉状態を示す縦断側面図。
【図１１】  通過検知センサの配設状態を示す拡大縦断面図。
【図１２】  通過検知センサの検知状態を示す要部縦断面図。
【図１３】  メダルの排出状態を示す要部側面図。
【図１４】  従来の透過型の光電検知センサの検知状態を示す要部縦断面図。
【符号の説明】
１１…スロットマシン
１２…投入口
１３…返却口
２０…投入メダル選別装置
２１…コ形基板
２２…開閉板
２３…メダル通路
３１…可動ガイド板
３６…排出口
４６…逆Ｌ型基板
Ｍ…メダル
Ｍ１…適用外メダル
Ｍｔ…メダル頂部
Ｓ１，Ｓ２…通過検知センサ
【図１】
0004161600.tif 000002
【図２】
0004161600.tif 000003
【図３】
0004161600.tif 000004
【図４】
0004161600.tif 000005
【図５】
0004161600.tif 000006
【図６】
0004161600.tif 000007
【図７】
0004161600.tif 000008
【図８】
0004161600.tif 000009
【図９】
0004161600.tif 000010
【図１０】
0004161600.tif 000011
【図１１】
0004161600.tif 000012
【図１２】
0004161600.tif 000013
【図１３】
0004161600.tif 000014
【図１４】
0004161600.tif 000015